【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
印刷動作を含む処理動作を行うことが可能な動作モードと当該動作モードよりも消費電力の少ない省電力モードとの間で稼動状態を切り替えるプリンターの制御方法において、
前記稼動状態が前記省電力モードであることを示す省電力モード情報を表示部に表示するとともにスイッチの操作による入力を監視し、
前記表示部に前記省電力モード情報が表示されているときに前記スイッチの操作による入力が検出されると、前記稼動状態を前記省電力モードに維持したままで前記表示部の表示を前記省電力モード情報からステータスに切り替え、
前記表示部に前記ステータスが表示されているときに前記スイッチの操作による入力が検出されると、前記稼動状態を前記省電力モードから前記動作モードに切り替え、
前記稼動状態が前記省電力モードから前記動作モードに切り替わると、前記表示部に前記ステータスが表示されているときに検出された前記入力に基づく処理動作を行うことを特徴とするプリンターの制御方法。
【請求項２】
請求項１において、
前記表示部の表示が前記省電力モード情報からステータスに切り替わると、前記表示部の表示がステータスとなってからの経過時間を計測し、
前記経過時間が予め設定した設定時間を超えるまでの間に前記スイッチの操作による入力が新たに検出されない場合には、前記表示部の表示を前記ステータスから前記省電力モード情報に戻し、
前記表示部に前記省電力モード情報が表示されているときに前記スイッチの操作による入力が検出されると、前記稼動状態を前記省電力モードに維持したままで前記表示部の表示を前記省電力モード情報からステータスに切り替えることを特徴とするプリンターの制御方法。
【請求項３】
印刷動作を含む処理動作を行うことが可能な動作モードと当該動作モードよりも消費電力の少ない省電力モードとの間で稼動状態を切り替えるプリンターにおいて、
表示部と、
スイッチと、
前記省電力モードにおいて前記スイッチの操作による入力を監視している監視部と、
前記稼動状態が前記動作モードから前記省電力モードに切り替わると前記表示部に当該稼動状態が当該省電力モードであることを示す省電力モード情報を表示するとともに、前記省電力モードのときに前記スイッチの操作による入力が検出されると前記省電力モード情報に替えて前記表示部にステータスを表示する表示制御部と、
前記省電力モードにおいて前記表示部に前記省電力モード情報が表示されているときに前記スイッチの操作による入力が検出された場合には前記稼動状態を当該省電力モードに維持し、前記省電力モードにおいて前記表示部に前記ステータスが表示されているときに前記スイッチの操作による入力が検出された場合には前記稼動状態を当該省電力モードから前記動作モードに切り替える稼動状態制御部と、
前記省電力モードにおいて前記表示部に前記省電力モード情報が表示されているときに前記スイッチの操作による入力が検出された場合には当該入力に基づく処理動作を行わず、前記省電力モードにおいて前記表示部に前記ステータスが表示されているときに前記スイッチの操作による入力が検出された場合には前記稼動状態が当該省電力モードから前記動作モードに切り替えられた後に当該入力に基づく処理動作を行う処理部と、
を有することを特徴とするプリンター。
【請求項４】
請求項３において、
前記省電力モードにおいて前記表示部の表示が前記省電力モード情報からステータスに切り替わると、前記表示部の表示がステータスとなってからの経過時間を計測するタイマーを有し、
前記表示制御部は、前記経過時間が予め設定した設定時間を超えるまでの間に前記スイッチの操作による入力が新たに検出されない場合には、前記表示部の表示を前記ステータスから前記省電力モード情報に戻すことを特徴とするプリンター。
【請求項５】
請求項３または４において、
前記表示制御部は、前記省電力モード情報を第１
表示形態によって前記表示部に表示し、前記ステータスを前記第１表示形態とは異なる第２表示形態によって前記表示部に表示し、
前記第１表示形態による表示の消費電力は、前記第２表示形態による表示の消費電力以下であることを特徴とするプリンター。
【請求項６】
請求項５において、
前記表示部は、１つまたは複数のＬＥＤを備え、
前記第１表示形態は、全てのＬＥＤの消灯、或いは、１つのＬＥＤの点灯であることを特徴とするプリンター。
【手続補正２】
【補正対象書類名】明細書
【補正対象項目名】０００７
【補正方法】変更
【補正の内容】
【０００７】
上記課題を解決するために、本発明は、印刷動作を含む処理動作を行うことが可能な動作モードと当該動作モードよりも消費電力の少ない省電力モードとの間で稼動状態を切り替えるプリンターの制御方法において、
前記稼動状態が前記省電力モードであることを示す省電力モード情報を表示部に表示するとともにスイッチの操作による入力を監視し、
前記表示部に前記省電力モード情報が表示されているときに前記スイッチの操作による入力が検出されると、前記稼動状態を前記省電力モードに維持したままで前記表示部の表示を前記省電力モード情報からステータスに切り替え、
前記表示部に前記ステータスが表示されているときに前記スイッチの操作による入力が検出されると、前記稼動状態を前記省電力モードから前記動作モードに切り替え、
前記稼動状態が前記省電力モードから前記動作モードに切り替わると、前記表示部に前記ステータスが表示されているときに検出された前記入力に基づく処理動作を行うことを特徴とする。
【手続補正３】
【補正対象書類名】明細書
【補正対象項目名】０００９
【補正方法】変更
【補正の内容】
【０００９】
本発明において、前記表示部の表示が前記省電力モード情報からステータスに切り替わると、前記表示部の表示がステータスとなってからの経過時間を計測し、前記経過時間が予め設定した設定時間を超えるまでの間に前記スイッチの操作による入力が新たに検出されない場合には、前記表示部の表示を前記ステータスから前記省電力モード情報に戻し、前記表示部に前記省電力モード情報が表示されているときに前記スイッチの操作による入力が検出されると、前記稼動状態を前記省電力モードに維持したままで前記表示部の表示を前記省電力モード情報からステータスに切り替えることが望ましい。このようにすれば、１回目のスイッチの操作による入力により表示部に表示されたステータスを確認したユーザーが、その後にスイッチの操作が必要ないと判断した場合などに、表示部の表示を省電力モード情報に戻すことができる。
【手続補正４】
【補正対象書類名】明細書
【補正対象項目名】００１２
【補正方法】変更
【補正の内容】
【００１２】
本発明において、前記省電力モードにおいて前記表示部の表示が前記省電力モード情報からステータスに切り替わると、前記表示部の表示がステータスとなってからの経過時間を計測するタイマーを有し、前記表示制御部は、前記経過時間が予め設定した設定時間を超えるまでの間に前記スイッチの操作による入力が新たに検出されない場合には、前記表示部の表示を前記ステータスから前記省電力モード情報に戻すことが望ましい。このようにすれば、１回目のスイッチの操作による入力により表示部に表示されたステータスを確認したユーザーが、その後にスイッチの操作が必要ないと判断した場合などに、表示部の表示を省電力モード情報に戻すことができる。